(57)【要約】【課題】  カレンダーの１枚の面に例えば複数月分を設けると共にこのカレンダーに窓を設けておき、これとは別に絵図が描かれた装飾部を前記カレンダーの窓の裏側に置いてこの絵図を表示する組物としたいのであるが、この際に同じ装飾部を用いても絵図を月毎に交換して見せることが出来るようにする。【解決手段】  カレンダー部の１枚の面に複数個の異なるカレンダー表示部（例えば複数月分）を設けるのであるが、この際にカレンダー部に設けた窓を通し表示する絵図に関し、絵図を表した装飾部をカレンダー部の裏側で回転させることによって、複数個の異なる絵図の中から今用いる（例えば今月の）カレンダー表示部に対応させたいとする絵図に交換して見せることが出来るように構成した。【選択図】図１
2012086542.tif 000002
【特許請求の範囲】
【請求項１】
窓とカレンダー表示部とを有して手前側に位置させるカレンダー部と、この裏側に位置させて前記窓から見える絵図を表わした装飾部と、から成るカレンダーであって、前記装飾部には回転対称の位置に絵図が表わされており、前記カレンダー部には一の前記絵図のみを見せる位置に前記窓が設けられていると共に、該窓以外の部位に該窓から見える前記絵図の数と少なくとも同じ数のカレンダー表示部が設けられている、カレンダー。
【請求項２】
前記装飾部に２回対称の位置に絵図が表わされており、前記カレンダー部にカレンダー表示部が２つ設けられている、請求項１に記載のカレンダー。
【請求項３】
前記カレンダー部が表裏に前記カレンダー表示部を有するものである、請求項１に記載のカレンダー。
【請求項４】
前記カレンダー部が表裏で９０度回転させた姿勢で前記カレンダー表示部を有し、この窓の位置に合わせた２種の装飾部を有するものである、請求項１に記載のカレンダー。
【請求項５】
前記カレンダー部と前記装飾部とを重ねて納めるためのケース部を備えている、請求項１に記載のカレンダー。
【発明の詳細な説明】
【技術分野】
【０００１】  この発明は、カレンダー部に窓と複数のカレンダー表示部（例えば２ヶ月分の月毎表示部）とを有すると共に、いま用いるカレンダー表示部（例えば今月のカレンダー）に対応する絵図を前記窓を通して見せることが出来るように、装飾部側で絵図を交換可能に設けたことを特徴とするカレンダーに関する。
【背景技術】
【０００２】  従来よりカレンダーと言えば、特開２０１０−００５９３７号の「卓上カレンダー」のように冊子状に綴じられたものに装飾を施したものや、特開２００９−２９８１３１号の「ケース入り卓上カレンダー」のようにカレンダーが印刷された用紙をケースにセットしたものが一般的であった。
【先行技術文献】
【特許文献】
【０００３】
【特許文献１】特開２０１０−００５９３７号公報
【特許文献２】特開２００９−２９８１３１号公報
【発明の概要】
【発明が解決しようとする課題】
【０００４】  カレンダー部の１枚の面に例えば２カ月分などの異なるカレンダー表示部を写真や絵画などの装飾部と共に設けると言う場合、この２カ月の間は同じ写真や絵画を表示し続けなくてはならない。せめて月毎に変えたいのが人情である。特開２００９−２９８１３１号の「ケース入り卓上カレンダー」は２カ月を表示させるタイプのものであり、これまでは「１月と２月」ではなく「２月と３月」の組み合わせを表示させることが出来なかったため、１枚の用紙の表裏に１２ヵ月分を印刷し、各月の間に折り筋を付け、折り方によって連続する全ての２ヵ月の組み合わせを表示出来るようにした点が新しい。しかしながらこのものとて写真や絵画などの装飾部を設けた場合には、２カ月間は同じ写真や絵画を表示し続けることになる。【０００５】  なおカレンダー表示部は、上述のように月毎のものが一般的であるが、この両側に前月と来月を付けた３カ月のものや、並列する２カ月のもの、更にはスケジュール帳などでは良く見られる週毎のものもある。【０００６】  そこでこの発明は、カレンダー部の１枚の面に複数個の異なるカレンダー表示部を設けるのであるが、この際にカレンダー部の窓に表示する絵図に関して、今用いるカレンダー表示部に対応する絵図に交換して見せることが出来るようにすることを課題とする。
【課題を解決するための手段】
【０００７】  上記課題は請求項１の発明によれば、窓とカレンダー表示部とを有して手前側に位置させるカレンダー部と、この裏側に位置させて前記窓から見える絵図を表わした装飾部と、から成るカレンダーであって、前記装飾部には回転対称の位置に絵図が表わされており、前記カレンダー部には一の前記絵図のみを見せる位置に前記窓が設けられていると共に、該窓以外の部位に該窓から見える前記絵図の数と少なくとも同じ数のカレンダー表示部が設けられているカレンダーとすることにより達成される。【０００８】  カレンダー部には窓とカレンダー表示部とがある。カレンダー部の裏側に置かれる装飾部の絵図はカレンダー部の窓を通して見ることが出来る。従って装飾部を回転させると、カレンダー部の窓には別の絵図が現れることになる。この際にカレンダー表示部の個数は装飾部の絵図の個数（窓から見える絵図の数）と同一であるが、必要に応じてそれよりも多い個数とすることが出来る。これは例えば既に過ぎ去った月の表示や次に控えている月の表示を併せて行うことが慣例的にあることによる。【０００９】  請求項２の発明では、装飾部に２回対称の位置に絵図が表わされており、カレンダー部にカレンダー表示部が２つ設けられているものとしている。この一例としてカレンダー部の上半分に窓を設け、下半分に２つのカレンダー表示部すなわち２カ月分のカレンダーを表示する場合では、２カ月分の内の何れか一の月に対応した絵図は、装飾部の上半分に描かれているものが窓を通して見られることになる。一方他の月に対応する絵図は装飾部の下半分に上下反転した状態で描かれているものを、装飾部を上下反転させることで前記窓の位置に合わせるようにする。すなわち各々の月に対応させる絵図は装飾部上で２回対称の位置に表わされているのである。【００１０】  また例えばカレンダー部に３つのカレンダー表示部を、すなわち３カ月分のカレンダーを表示したいのであれば、方形のカレンダー部を４分割してその内の３区画に３カ月分のカレンダーを表示すると共に、その内の１区画に窓を設ける。またこれに合わせるようにして装飾部も４分割され、その内の３つの区画に４回対称に絵図を表すようにする。なおこの場合の残った１区画は空白としても、上記対応には無関係に絵図等を表すようにしても良い。或いは装飾部の絵図を東海道五十三次の主要名所とした時に、前記４分割されたカレンダー部の下２区画を使って３カ月分のカレンダーを表示し、上２区画の一側に窓を設け、他側に装飾部の絵図に対応させて弥次さん喜多さんの姿を表すようにすると、興趣あるものとなる。このようなことは設計次第である。【００１１】  カレンダー部や装飾部の形状は方形や円形など任意である。上記では方形のカレンダー部の上半分に窓を設けているが、下半分、右半分、左半分など自由に設計して良い。また窓は、不透明なカレンダー部に開口することで窓としたり、透明なカレンダー部に窓となる部位を残して印刷する、すなわちマスキングを施すことでも実現可能である。【００１２】  次に請求項３の発明は、前記カレンダー部が表裏に前記カレンダー表示部を有するものとしたものである。従って１枚のカレンダー部により多くのカレンダー表示部を設けることが出来るようになる。【００１３】  次に請求項４の発明は、前記カレンダー部が表裏で９０度回転させた姿勢で前記カレンダー表示部を有し、この窓の位置に合わせた２種の装飾部を有するものである。例えば、上記では方形のカレンダー部の上半分に窓を設けているが、これを時計方向に９０度回転させると、窓はカレンダー部の右半分に位置することになる。上半分に窓がある面では、下半分にカレンダー表示部が正立状態で表されるが、これに対して右半分に窓がある面では、カレンダー表示部は左半分に正立状態で表されていることになる。而して上記何れの面側の窓にも、各々対応する装飾部を用意しておくようにするのである。この構成によって、１枚のカレンダー部により多くのカレンダー表示部を設けることが出来るようになると共に、カレンダー部や窓やそこから見える絵図の見掛けを大きく変えることが出来るようになるのである。【００１４】  次に請求項５の発明は、前記カレンダー部と前記装飾部とを重ねて納めるためのケース部を備えているものである。ケースがなくともカレンダー部と装飾部との組を維持することは可能であるが、例えば１年分のカレンダーを束ねておきたいような場合にはケースがあると便利である。ケースにはスタンドタイプのものや額縁タイプのものなどを、自由に設計することが出来る。またカバンや携帯電話のストラップに付けるアクセサリーなどとして構成することが可能である。
【発明の効果】
【００１５】  この発明によれば、カレンダー部の１枚の面に複数個の異なるカレンダー表示部を設けるのであるが、この際にカレンダー部の窓を通して表示する絵図に関して、絵図を表した装飾部をカレンダー部の裏側で回転させることによって、複数個の異なる絵図の中から今用いるカレンダー表示部に対応させたいとする絵図に交換して見せることが出来ると言う効果を奏する。
【図面の簡単な説明】
【００１６】
【図１】  実施例１のカレンダーを表す説明図である。
【図２】  使用方法の説明図である。
【図３】  使用方法の説明図である。
【図４】  実施例２のカレンダーを表す説明図である。
【図５】  使用方法の説明図である。
【図６】  実施例３のカレンダーを表す説明図である。
【図７】  実施例４のカレンダーを表す説明図である。
【図８】  実施例５のスタンド（ケース部）付きカレンダーを表す説明図である。
【発明を実施するための形態】
【００１７】  以下４つの実施例を図面に基づいて説明するが、この発明はこれ等の実施例にのみ限定されるものではない。
【実施例１】
【００１８】  図１は厚紙製のカレンダー部１と、その裏側に位置させる厚紙製の装飾部２とを並べて表したものである。カレンダー部１は上半分に横長方形の窓１２が開設されており、下半分にカレンダー表示部１０，１１が並べて印刷されている。カレンダー表示部１０，１１は実施例１では１月、２月の月毎のカレンダーとされている。一方装飾部２は上半分に正立の写真が印刷されており、下半分に倒立の写真が印刷されている。すなわち装飾部２には２回対称の位置に絵図２０，２１としての写真が表されていると共に、上半分の写真のみを見せる位置に窓１２が設けられているのである。【００１９】  図２及び図３はこの使用法を表したものであるが、装飾部２をカレンダー部１の裏面に宛がうと窓１２には絵図２０が表示される（図２）。次に装飾部２を半回転させてカレンダー部１の裏面に宛がうと窓１２には絵図２１が表示される（図３）。従って例えば１月中は絵図２０を表示し、２月に入ったら絵図２１に表示替えすると言う使い方が出来る。或いは月の中毎に装飾部２を半回転させる使用法も可能である。【００２０】  従来であれば１月〜２月の間は同じ写真を表示し続けなくてはならないが、この実施例１によれば装飾部２を回転させることで表示する写真を交換することが出来るのである。
【実施例２】
【００２１】  図４及び図５は、厚紙製のカレンダー部１３と、その裏側に位置させる厚紙製の装飾部（絵図２２，２３）とを組合わせて表したものである。特にこのカレンダー部１３は表側の上半分に横長方形の窓１６を開設し下半分にカレンダー表示部１４，１５を並べて印刷して成るが（図４）、これを表裏反転させて更に時計回りに９０度回転させると、右半分が縦長方形の窓１００となるため、左半分にカレンダー表示部１８，１９を上下に並べて印刷してカレンダー部１７を得るのである（図５）。このようにこの実施例２では表裏にカレンダー部１３，１７を有する。【００２２】  このようなカレンダー部１３，１７には対応する構成の装飾部を組合わせる。すなわち図４で表した上半分に横長の絵図２２があるものと図５で表した右半分に縦長の絵図２３があるものとである。なお横長の絵図２２と縦長の絵図２３とは別々の装飾部に印刷されたものでも良いが、同じ装飾部の同一面や表裏面に印刷されたものであっても良い。
【実施例３】
【００２３】  図６は合成樹脂フィルム製のカレンダー部３と、その裏側に位置させる同フィルム製の装飾部４とを並べて表したものである。カレンダー部３は透明な合成樹脂フィルムの表面に、その４等分の右上の区画を残して３つのカレンダー表示部３０，３１，３２を印刷して成るものである。従って右上の区画は透明な窓３３となっている。【００２４】  装飾部４は、４等分の各々の区画に絵図４０，４１，４２，４３を印刷して成るものである。なお各々の絵図の印刷の向きを４回対称としている。これに対してカレンダー部３のカレンダー表示部の数は３である。このようなカレンダー部３と装飾部４との組合わせも十分実用的である。全ての絵図を表示させる必要はなく、また３カ月の間に全ての絵図を表示させるようにしても良い。
【実施例４】
【００２５】  この発明では、装飾部には回転対称の位置に絵図を表しており、カレンダー部には一の絵図のみを見せる位置に窓を設けている。この発明ではカレンダー部及び装飾部の形状は任意であって、方形にのみ限定していない。従って回転対称と言うことであれば、装飾部やカレンダー部に円形のものを採用することは合理的である。【００２６】  図７は厚紙製の円形のカレンダー部５と、その裏側に位置させる厚紙製の円形の装飾部６とを、その中心部の軸５３で回動自在に設けたものである。カレンダー部５は上半分に半円形の窓５２が開口されており、窓５２を通して装飾部６を見ることが出来る。装飾部６には鎖線で表したように２回対称の位置にイラスト（絵図）が描かれている。またこれに合わせるようにして、カレンダー部５の下半分に２つのカレンダー表示部５０，５１が並べて印刷されている。【００２７】  この実施例４では、装飾部６を軸５３を回転中心にして半回転させることで、今表示されているイラストが隠れてこれとは別のイラストが現れる。
【実施例５】
【００２８】  図８は厚紙を折って組み立てたスタンド７に、実施例１のカレンダー部１と装飾部２とから成るカレンダーを並べて立てた状態を表したものである。スタンド７はカレンダーの重さを受ける底板７０と、カレンダーの姿勢を立てて保つ背板７１と、カレンダーの両側への擦れを防ぐ側板７２とから成っている。【００２９】  このようなスタンド７に、例えば表側に１月２月、裏側に７月８月が表示されたもの、表側に３月４月、裏側に９月１０月が表示されたもの、また表側に５月６月、裏側に１１月１２月が表示されたもの（この３枚はカレンダー部１である）と、表裏共に上下２分割且つ上下が反転するようにして２つの写真、計４つの写真が印刷された、都合３枚の装飾部２とを、セットにして立て掛けるようにするのである。
【産業上の利用可能性】
【００３０】  この発明はカレンダーのみに適用されるものではなく、カレンダー部に相当する「絵画説明部」と装飾部に相当する「絵画」とを組合わせた学習教材や、カレンダー部に相当する「物語記載部」と装飾部に相当する「絵画」とを組合わせて紙芝居とした娯楽用品などの幅広い分野に適用することが可能である。
【符号の説明】
【００３１】１      カレンダー部
１０    カレンダー表示部
１１    カレンダー表示部
１２    窓
１３    カレンダー部
１４    カレンダー表示部
１５    カレンダー表示部
１６    窓
１７    カレンダー部
１８    カレンダー表示部
１９    カレンダー表示部
１００  窓
２      装飾部
２０    絵図
２１    絵図
２２    絵図
２３    絵図
３      カレンダー部
３０    カレンダー表示部
３１    カレンダー表示部
３２    カレンダー表示部
３３    窓
４      装飾部
４０    絵図
４１    絵図
４２    絵図
４３    絵図
５      カレンダー部
５０    カレンダー表示部
５１    カレンダー表示部
５２    窓
５３    軸
６      装飾部
７      スタンド
７０    底板
７１    背板
７２    側板
【図１】
2012086542.tif 000003
【図２】
2012086542.tif 000004
【図３】
2012086542.tif 000005
【図４】
2012086542.tif 000006
【図５】
2012086542.tif 000007
【図６】
2012086542.tif 000008
【図７】
2012086542.tif 000009
【図８】
2012086542.tif 000010